(57)【要約】【課題】有効的な製版データの生成作業に要する作業時間の短縮化を図ることができる製版データ生成装置、および製版データ生成方法および製版データ生成プログラムを提供する。【解決手段】本発明の製版データ生成装置１は、各競技選手に関する選手データを含むデータベースを管理するデータベース管理手段１５と、前回のレース結果データの入力により上記第１製版データを生成する第１製版データ生成手段２３と、レース当日の出走予定データの入力により上記データベースからレース当日に出走する選手の選手データを読み出し、当該読み出した選手データと上記第１製版データから抽出した所定のレース結果データとを対応させて上記第２製版データを生成する第２製版データ生成手段２５と、上記第１製版データまたは／および上記第２製版データを出力する出力手段１９を備える。【選択図】図２
2005128400.tif 000002
【特許請求の範囲】
【請求項１】
前回に出走した競技選手のレース結果を示す第１製版データとレース当日の競技選手の出走表を示す第２製版データを生成する製版データ生成装置であって、
各競技選手に関する選手データを含むデータベースを管理するデータベース管理手段と、
前回のレース結果データの入力により上記第１製版データを生成する第１製版データ生成手段と、
レース当日の出走予定データの入力により上記データベースからレース当日に出走する選手の選手データを読み出し、当該読み出した選手データと上記第１製版データから抽出した所定のレース結果データとを対応させて上記第２製版データを生成する第２製版データ生成手段と、
上記第１製版データまたは／および上記第２製版データを出力する出力手段を備えたことを特徴とする製版データ生成装置。
【請求項２】
上記データベースを記憶する記憶手段を備え、
上記記憶手段は、上記各競技選手の選手データをそれぞれ所定の識別情報と対応させて記憶し、
上記第２製版データ生成手段は、上記所定の識別情報の入力により当該識別情報に対応する選手データを上記データベースから読み出し、当該読み出した選手データと上記第１製版データから抽出した所定のレース結果データとを対応させて上記第２製版データを生成する請求項１記載の製版データ生成装置。
【請求項３】
上記所定のレース結果データは、上記データベースから読み出した選手データの前回以前のレース結果データを含む請求項１または２記載の製版データ生成装置。
【請求項４】
上記第２製版データ生成手段は、上記データベースを読み出して上記所定のレース結果が特定のレース結果であるか否かを判別し、当該判別結果が特定のレース結果である場合には、上記データベースから読み出した選手データと上記特定のレース結果とを対応させて上記第２製版データを生成する請求項１〜３のいずれか一項に記載の製版データ生成装置。
【請求項５】
上記出力手段により出力された第１製版データまたは／および第２製版データを競技情報として印刷する印刷手段を備えた請求項１〜４のいずれか一項に記載の製版データ生成装置。
【請求項６】
前回に出走した競技選手のレース結果を示す第１製版データとレース当日の競技選手の出走表を示す第２製版データを生成する製版データ生成装置に用いる製版データ生成方法であって、
各競技選手に関する選手データを含むデータベースを管理し、
前回のレース結果データの入力により上記第１製版データを生成し、
レース当日の出走予定データの入力により上記データベースからレース当日に出走する選手の選手データを読み出し、当該読み出した選手データと上記第１製版データから抽出した所定のレース結果データとを対応させて上記第２製版データを生成し、
上記第１製版データまたは／および上記第２製版データを出力することを特徴とする製版データ生成方法。
【請求項７】
前回に出走した競技選手のレース結果を示す第１製版データとレース当日の競技選手の出走表を示す第２製版データを生成する製版データ生成装置に用いる製版データ生成プログラムであって、
各競技選手に関する選手データを含むデータベースを管理するステップと、
前回のレース結果データの入力により上記第１製版データを生成するステップと、
レース当日の出走予定データの入力により上記データベースからレース当日に出走する選手の選手データを読み出し、当該読み出した選手データと上記第１製版データから抽出した所定のレース結果データとを対応させて上記第２製版データを生成するステップと、
上記第１製版データまたは／および上記第２製版データを出力するステップとを備えたことを特徴とする製版データ生成プログラム。 
【発明の詳細な説明】
【技術分野】
【０００１】
本発明は、例えば競艇、競輪、競馬等の競技に関する製版データを生成する製版データ生成装置、製版データ生成方法および製版データ生成プログラムに関するものである。
【背景技術】
【０００２】
近年、ワードプロセッサ、パーソナルコンピュータ等における技術の高度化、汎用化に伴い、かかる技術を応用した各種の製版データ生成装置が提案されている。このような製版データ生成装置では、枠編集機能、グラフ・作図機能等の各種の製版データ生成機能を備えており、これにより製版データを生成し、その製版データに基いて製版を容易、かつ簡便に作成し得るものである。
【０００３】
しかし、上記のような製版データ生成装置により製版を作成する場合においても製版データ生成装置にデータを手入力する作業は不可欠なものであり、その入力作業にはかなりの時間や労力を要する。
【０００４】
例えば競艇新聞においては、少なくともレース当日（明日）の出走表と前日（今日）に行なわれたレース結果とが掲載されるのが一般的である。上記出走表の元データには選手に関するデータ（登録番号、名前、年齢、現住所、体重、勝率等）、モータに関するデータ（モータ番号、勝率等）、およびボートに関するデータ（ボート番号、勝率等）が存在する。
【０００５】
しかし、これらの各データを常に最新の情報に更新するためには、製版データ生成装置に常に最新のデータを再入力する必要がある。特に、競艇に関するデータは、毎日大量に発生するため、これを短時間で入力する必要があることから極めて大変な作業となるものであった。例えば、レース当日の出走予定に併せて各データの差替えを行なったり、そのレース結果に関するデータを再入力するのにはかなりの手間や時間等を必要とする。
【０００６】
また、上記各データ中には繰り返して使用することができるデータ（例えば、選手の登録番号，名前，過去の成績等に関するデータ）が存在するが、上記従来の方法では競艇新聞を発行する毎に（レースが開催される節では毎日）各データの再入力をしなければならず、無駄なデータ入力作業に大変な労力を払わざるを得なかった。このように、従来の方法では、最新の情報を必要とする製版の作成には、膨大な手間等が必要であった。
【０００７】
そこで、データの再入力を不要とすることにより、製版作成作業に要する作業時間の短縮化を図り、また、作業人員を削減して製版作成作業の簡便化を実現することができるとともに、データを繰り返して使用することができる電子組版システムが提案されている（例えば、下記の特許文献１参照。）。
【特許文献１】特開平６−５１４８７号公報
【発明の開示】
【発明が解決しようとする課題】
【０００８】
しかしながら、上記のようなシステムでは、データ作成手段により所定のデータが作成された後、そのデータがデータ送信手段から電話回線を使用して受信手段に送信される。このように送信されたデータはデータ受信手段により受信されるとともに、その受信されたデータに基づきデータベース作成手段を介して受信データのデータベースが作成される。これと同時に、上記のように受信されたデータに基づき組版データ作成手段を介して組版データが作成される。続いて、組版作成手段により組版データにしたがって版下の作成が行なわれる。
【０００９】
すなわち、上記のようなシステムでは、上記のように電話回線を使用して、データ作成手段により作成された所定のデータを受信できる環境が整備されていない場合には、適用することができず、製版データを生成することができない。また、上記のようなシステムでは、今日のレース結果に関するデータと明日の出走表に関するデータを含む組版データにしたがって版下を作成するが、単に、組版データが今日のレース結果に関するデータと明日の出走表に関するデータを含むだけでは、その版下による競艇新聞は有効的に使い難いものとなる場合がある。
【００１０】
例えば、レース当日に出走する選手の中に前回のレースに出走していない選手が混じっていたり、前回のレースにもレース当日にも出走する選手がいても各選手が前回の出走順と異なっていたりすると、レース当日に出走する選手ごとに、その選手の過去のレース結果を対応させて読まなければ、レース当日に出走する選手の過去のレース結果を確認することができない。このため、上記競艇新聞によりレース当日に出走する選手の過去のレース結果を確認しながら、レース当日のレース結果を予想する読者にとっては、たいへんな労力や時間を必要とするのが実情である。
【００１１】
本発明は、上記のような事情に鑑みなされたもので、有効的な製版データの生成作業に要する作業時間の短縮化を図ることができる製版データ生成装置、および製版データ生成方法および製版データ生成プログラムの提供を目的とする。
【課題を解決するための手段】
【００１２】
上記目的を達成するため、本発明の製版データ生成装置は、前回に出走した競技選手のレース結果を示す第１製版データとレース当日の競技選手の出走表を示す第２製版データを生成する製版データ生成装置であって、各競技選手に関する選手データを含むデータベースを管理するデータベース管理手段と、前回のレース結果データの入力により上記第１製版データを生成する第１製版データ生成手段と、レース当日の出走予定データの入力により上記データベースからレース当日に出走する選手の選手データを読み出し、当該読み出した選手データと上記第１製版データから抽出した所定のレース結果データとを対応させて上記第２製版データを生成する第２製版データ生成手段と、上記第１製版データまたは／および上記第２製版データを出力する出力手段を備えたことを要旨とする。
【００１３】
また、上記目的を達成するため、本発明の製版データ生成方法は、前回に出走した競技選手のレース結果を示す第１製版データとレース当日の競技選手の出走表を示す第２製版データを生成する製版データ生成装置に用いる製版データ生成方法であって、各競技選手に関する選手データを含むデータベースを管理し、前回のレース結果データの入力により上記第１製版データを生成し、レース当日の出走予定データの入力により上記データベースからレース当日に出走する選手の選手データを読み出し、当該読み出した選手データと上記第１製版データから抽出した所定のレース結果データとを対応させて上記第２製版データを生成し、上記第１製版データまたは／および上記第２製版データを出力することを要旨とする。
【００１４】
また、上記目的を達成するため、本発明の製版データ生成プログラムは、前回に出走した競技選手のレース結果を示す第１製版データとレース当日の競技選手の出走表を示す第２製版データを生成する製版データ生成装置に用いる製版データ生成プログラムであって、各競技選手に関する選手データを含むデータベースを管理するステップと、前回のレース結果データの入力により上記第１製版データを生成するステップと、レース当日の出走予定データの入力により上記データベースからレース当日に出走する選手の選手データを読み出し、当該読み出した選手データと上記第１製版データから抽出した所定のレース結果データとを対応させて上記第２製版データを生成するステップと、上記第１製版データまたは／および上記第２製版データを出力するステップとを備えたことを要旨とする。
【発明の効果】
【００１５】
すなわち、本発明によれば、上記第２製版データ生成手段は、レース当日の出走予定データの入力により上記データベースからレース当日に出走する選手の選手データを読み出し、当該読み出した選手データと上記第１製版データから抽出した所定のレース結果データとを対応させて上記第２製版データを生成する。上記出力手段は、上記第１製版データまたは／および上記第２製版データを出力する。
【００１６】
したがって、上記第１製版データが生成された後、レース当日の出走予定データが入力されるだけで上記第２製版データを生成することができるため、第２製版データの生成作業に要する作業時間の短縮、第２製版データの生成作業の労力を軽減することができる。例えば、前回のレース（第１日目）が前日に行なわれ、その次の日に第２日目のレースが行なわれる場合であっても、第１製版データと第２製版データを容易に短時間で出力することができるため、レース当日の出走表と前回のレース結果を迅速に提供することができる。
【００１７】
また、上記第２製版データは、上記データベースから読み出した選手データと上記第１製版データから抽出した所定のレース結果データとを対応させて生成され、上記出力手段により出力される。例えば、レース当日の出走予定データ（例えば、出走順）が前回の出走予定データと異なったものである場合においても、レース当日に出走する競技選手の選手データとその競技選手のレース結果とを対応させて出力することができる。これにより、上記第２製版データが、例えば競艇情報として印刷された場合には、レース当日に出走する競技選手の選手データに対応して、その競技選手の前回のレース結果が記載されるため、レース当日に出走する競技選手の技量等を把握し易くなる。すなわち、レース当日のレース結果を予想する読者に対して、レース当日に出走する選手の過去のレース結果を素早く、かつ容易に確認させることができ、有効的な情報として提供することができる。
【００１８】
本発明において、上記データベースを記憶する記憶手段を備え、上記記憶手段は、上記各競技選手の選手データをそれぞれ所定の識別情報と対応させて記憶し、上記第２製版データ生成手段は、上記所定の識別情報の入力により当該識別情報に対応する選手データを上記データベースから読み出し、当該読み出した選手データと上記第１製版データから抽出した所定のレース結果データとを対応させて上記第２製版データを生成する場合には、本装置において所定の識別情報を入力するだけで第２製版データを生成することができるため、第２製版データの生成作業に要する作業時間をさらに短縮することができるとともに、選手データの入力ミスを防止することができる。
【００１９】
本発明において、上記所定のレース結果データは、上記データベースから読み出した選手データの前回以前のレース結果データを含む場合には、読者は、レース当日に出走する競技選手の技量等をより一層把握し易くなり、当日のレース結果を予想し易くなる。
【００２０】
本発明において、上記第２製版データ生成手段は、上記データベースを読み出して上記所定のレース結果が特定のレース結果であるか否かを判別し、当該判別結果が特定のレース結果である場合には、上記データベースから読み出した選手データと上記特定のレース結果とを対応させて上記第２製版データを生成する場合には、上記第２製版データにおいて上記所定のレース結果を上記特定のレース結果に更新することができるため、読者により最新の情報を提供することができる。
【００２１】
本発明において、上記出力手段により出力された第１製版データまたは／および第２製版データを競技情報として印刷する印刷手段を備えた場合には、本装置において第１製版データまたは／および第２製版データを競技情報として印刷することができる。 
【発明を実施するための最良の形態】
【００２２】
つぎに、本発明を実施するための最良の形態を説明する。
【実施例１】
【００２３】
図１は、本発明の製版データ生成装置の一実施の形態を示す図である。
【００２４】
図１に示すように、本発明の製版データ生成装置１は、競技として競艇に関する製版データを生成するものであって、前回に出走した競技選手のレース結果（図４）を示す第１製版データとレース当日の競技選手の出走表（図３）を示す第２製版データを生成する。この製版データ生成装置１には、上記第１製版データまたは／および第２製版データを競技情報として印刷媒体５に印刷する印刷手段である印刷装置３が接続されている。
【００２５】
なお、印刷装置３は、製版データ生成装置１の設置場所と離れた場所に設置されていてもよい。例えば、この場合、印刷装置３は、上記製版データ生成装置１から電話回線等の通信回線を経由してＬＡＮ或いはインターネットのようなネットワークを介して上記第１製版データまたは／および第２製版データを受信可能な受信装置（例えば、コンピュータ装置）と接続されていてもよい。このようにすることで、上記製版データ生成装置１から出力された第１製版データまたは／および第２製版データは、ネットワークを介して受信装置に受信され、上記印刷装置３に入力されるようになる。
【００２６】
つぎに、図２を参照して、製版データ生成装置１について詳しく説明する。
【００２７】
上記製版データ生成装置１は、前回のレース結果データやレース当日の出走予定データを入力するための入力手段としての入力装置（例えばキーボードやマウス等）６と、この入力装置６から入力されたデータを受信して各種の制御を行なう制御手段としての制御装置７と、後述の出走表入力メニュー画像（図６），当日データ処理メニュー画像（図７），着順入力画像(図８)，成績入力画像(図９)，前夜版入力画像(図１０)等の各種画像を表示する表示手段としての表示装置８とを備えている。
【００２８】
上記制御装置７は、各種機器の制御を行なう演算装置であるＣＰＵ（Ｃｅｎｔｒａｌ  Ｐｒｏｃｅｓｓｉｎｇ  Ｕｎｉｔ）９と、装置を動作させるためのプログラムや各種データを記憶する記憶装置１１と、プログラムの一時的な作業領域ともなるメモリ１３とを含んで構成されている。
【００２９】
上記プログラムは、前回に出走した競技選手のレース結果を示す第１製版データとレース当日の競技選手の出走表を示す第２製版データを生成する製版データ生成プログラムを含む。
【００３０】
上記ＣＰＵ９は、後述のデータベースを管理するデータベース管理手段１５と、後述の第１製版データ生成手段２３と第２製版データ生成手段２５とを含む製版データ生成手段１７と、上記第１製版データまたは／および上記第２製版データを出力する出力手段１９と、上記表示装置８の表示を制御する表示制御手段２１としての機能を果たす。
【００３１】
上記データベース管理手段１５は、入力装置６から入力されたデータを受信して上記記憶装置１１に書き込みを行ない、また必要に応じて上記記憶装置１１に記憶されたデータの読み込みを行なうようになっている。
【００３２】
上記第１製版データ生成手段２３は、前回のレース結果データ（着順、タイム、コース、タイミング等のデータ）の入力により上記第１製版データを生成する。生成された第１製版データは、上記出力手段１９から出力され、上記印刷装置３によりレース結果を示す競技情報として印刷媒体５に印刷される。
【００３３】
図３に示すように、上記印刷装置３は、上記出力手段１９により出力された第１製版データに基いて印刷媒体５にレース結果を示す競技情報を印刷媒体５に印刷するようになっている。
【００３４】
図２に示すように、上記第２製版データ生成手段２５は、第１製版データ生成手段２３とレース当日の出走予定データの入力（後述の前夜版入力）により上記データベースからレース当日に出走する選手の選手データを読み出し、当該読み出した選手データと上記第１製版データから抽出した所定のレース結果データとを対応させて上記第２製版データを生成する。生成された第２製版データは、上記出力手段１９から出力され、上記印刷装置３により出走表を示す競技情報として印刷媒体５に印刷される。
【００３５】
図４に示すように、上記出走表は、各競技選手の当日の出走レース番号、連番、色別、選手に関するデータ（登録番号、名前、年齢、現住所、体重、勝率等）、モータに関するデータ（モータ番号、勝率等）、およびボートに関するデータ（ボート番号、勝率等）等からなる。このように、上記印刷装置３は、上記出力手段１９により出力された第２製版データに基いて印刷媒体５に出走表を示す競技情報を印刷媒体５に印刷するようになっている。
【００３６】
このように、上記出力手段１９により出力された第１製版データまたは／および第２製版データを競艇情報として印刷する印刷装置３を備えているため、本装置において第１製版データまたは／および第２製版データを競艇新聞等の競艇情報として印刷することができる。
【００３７】
上記記憶装置１１には、選手データ３１、モータデータ３３、ボートデータ３５、製版データ３７を蓄積するデータベースが構築されている。このデータベースは、上記データベース管理手段１５により構築されたものである。
【００３８】
上記選手データ３１は、少なくとも、各選手の登録番号，名前，年齢，現住所，体重，勝率等に関するデータであり、上記モータデータ３３は、モータ番号、勝率等のモータに関するデータであり、上記ボートデータ３５は、ボート番号、勝率等のボートに関するデータであり、上記製版データ３７は、上記第１製版データ生成手段２３や上記第２製版データ生成手段２５により生成された第１製版データおよび第２製版データである。
【００３９】
上記各データは、入力された識別情報に応じて記憶装置１１から抽出されるようになっている。例えば、選手データに関する識別情報（具体的には、登録番号）を入力することで、その識別情報に対応した選手の選手データが記憶装置１１から抽出される。すなわち、各データは、上記記憶装置１１にそれぞれ所定の識別情報と対応して記憶される。これにより、本装置の使用者が所定の識別情報を入力するごとに記憶装置１１の中からその識別情報に対応した選手データが読み出されるようになっている。
【００４０】
すなわち、製版データ生成装置１は、各競技選手に関する選手データを含むデータベースを管理するデータベース管理手段１５と、前回のレース結果データの入力により上記第１製版データを生成する第１製版データ生成手段２３と、レース当日の出走予定データの入力により上記データベースからレース当日に出走する選手の選手データを読み出し、当該読み出した選手データと上記第１製版データから抽出した所定のレース結果データとを対応させて上記第２製版データを生成する第２製版データ生成手段２５と、上記第１製版データまたは／および上記第２製版データを出力する出力手段１９を備えている。
【００４１】
上記製版データ生成装置１は、上記製版データ生成プログラムにより動作するようになっている。このプログラムは、各競技選手に関する選手データを含むデータベースを管理するステップと、前回のレース結果データの入力により上記第１製版データを生成するステップと、レース当日の出走予定データの入力により上記データベースからレース当日に出走する選手の選手データを読み出し、当該読み出した選手データと上記第１製版データから抽出した所定のレース結果データとを対応させて上記第２製版データを生成するステップと、上記第１製版データまたは／および上記第２製版データを出力するステップとを備えている。
【００４２】
つぎに、図５〜図１０を参照し、製版データ生成装置１の動作の一例について説明する。ここで、「Ｓ」はステップを意味する。
【００４３】
図６は、出走表入力メニュー画像を示し、図７は、当日データ処理メニュー画像を示す。
【００４４】
図６に示す出走表入力メニュー画像は、「当日処理」選択領域５１、「レース結果処理」選択領域５３等により構成される。使用者による入力装置６の操作により「当日処理」選択領域５１が選択されると、ＣＰＵ９は、当日データ処理メニュー画像（図７）を表示装置８に表示する。図示においては、使用者による入力装置６の操作によりカーソルで「当日処理」選択領域５１が選択されている様子を示している。
【００４５】
図７に示す当日データ処理メニュー画像は、「前日体重入力」選択領域５５、「前夜版入力」選択領域５６、「レース結果の成績合成」選択領域５７、「データ出力」選択領域５８等により構成される。図示においては、使用者による入力装置６の操作によりカーソルで「前夜版入力」選択領域５６が選択されている様子を示している。
【００４６】
使用者による入力装置６の操作により「前日体重入力」選択領域５５が選択されると、ＣＰＵ９は、使用者に対して各選手の前日の体重データを入力させる。また、ＣＰＵ９は、使用者による入力装置６の操作により「前夜版入力」選択領域５６が選択されると、前夜版入力画像（図１０）を表示装置８に表示し、「レース結果の成績合成」選択領域５７が選択されると、後述の着順入力画像（図８）において入力された着順データと後述の成績入力画像（図９）において入力された成績データをそれぞれ各選手データに対応させて合成する。
【００４７】
使用者による入力装置６の操作により「データ出力」選択領域５８が選択されると、ＣＰＵ９は、データ出力選択画像（図示していない）を表示装置８に表示し、使用者に対して第１製版データを出力するか、第２製版データを出力するかを選択させる。ここで、選択された製版データは、印刷装置３に出力されるようになっている。
【００４８】
図５に示すように、図６に示す「レース結果処理」選択領域５３が選択されると、ＣＰＵ９は、使用者に対して前回のレース結果（レースの着順や成績）を入力させるレース結果入力処理を行なう（Ｓ１）。このレース結果入力処理では、レース結果選択画像（図示していない）を表示装置８に表示し、使用者に対してレース結果である着順を入力させる着順入力画像（図８）を表示装置８に表示するか、使用者に対してレース結果であるタイム、コース、タイミング等の成績を入力させる成績入力画像（図９）を表示するかを選択させる。
【００４９】
図８に示す着順入力画像には、レース毎に区分された着順入力領域６１がレース番号別に表示されている。各レースの着順入力領域６１には、「レース番号」、「着順」、「艇番」、「登番（登録番号）」、「選手名」、「ボート番号」、「モータ番号」等のデータが表示される。そのうち、「レース番号」と「着順」が予め入力され、そのレース番号と着順に対応する登録番号入力領域６３に登録番号を入力させるようになっている。図示上段の着順入力領域６１には、登録番号入力領域６３に登録番号が入力され、全てのデータが入力されている。図示中段，下段の着順入力領域６１には、登録番号入力領域６３に登録番号が入力されておらず、「レース番号」、「着順」以外のデータが未入力となっている。
【００５０】
上記着順入力領域６１に所定の識別情報として登録番号が入力されると、上記記憶装置１１のデータベースからその入力された登録番号に対応するデータ（艇番、選手名、ボート番号、モータ番号に関するデータ）が抽出され、入力されるようになっている。
【００５１】
例えば、レース番号「１」、着順「１」に対応する登録番号入力領域６３に登録番号「３７８６」を入力すると、艇番、選手名、ボート番号、モータ番号が自動的に入力されるようになっている。
【００５２】
すなわち、登録番号「３７８６」の入力により上記データベースからその登録番号「３７８６」に対応する選手データ（選手名「納富一樹」に関するデータ）が入力される。さらに、予め第１日目のレースの前夜版入力処理において上記登録番号「３７８６」が艇番「１」、ボート番号「３３」、モータ番号「３４」と関連づけて記憶されているため、登録番号「３７８６」の入力によりそれに対応する艇番、ボート番号、モータ番号が自動的に入力される。
【００５３】
すなわち、上記データベースを記憶する記憶装置１１は、上記各競技選手の選手データをそれぞれ所定の識別情報と対応させて記憶し、上記第２製版データ生成手段２５は、上記所定の識別情報の入力により当該識別情報に対応する選手データを上記データベースから読み出し、当該読み出した選手データと上記第１製版データから抽出した所定のレース結果データとを対応させて上記第２製版データを生成するようになっている。
【００５４】
このようにすることにより、本装置において所定の識別情報を入力するだけで第２製版データを生成することができるため、第２製版データの生成作業に要する作業時間をさらに短縮することができるとともに、選手データの入力ミスを防止することができる。
【００５５】
図９に示す成績入力画像には、レース毎に区分された成績入力領域６５がレース番号別に表示されている。各レースの成績入力領域６５には、「レース番号」、「着順」、「艇番」、「登番」、「選手名」、「ボート番号」、「モータ番号」、「タイム」、「コース」、「タイミング」等のデータが表示される。そのうち、「レース番号」、「着順」、「艇番」、「登番」、「選手名」、「ボート番号」、「モータ番号」に予めデータが入力され、「タイム」入力領域６７、「コース」入力領域６９、「タイミング」入力領域７１にデータを入力させるようになっている。
【００５６】
例えば、レース番号「１」、着順「２」、艇番「２」、登番「２１９２」、選手名「伊達喬」、ボート番号「８５」、モータ番号「８」に対応する「タイム」入力領域６７には、「１・４９・９」、「コース」入力領域６９には、「２」、「タイミング」入力領域７１には、「１４」が使用者によって入力されている。
【００５７】
図５に示すように、レース結果入力処理（Ｓ１）が終了すると、ＣＰＵ９は、第１製版データ生成処理（Ｓ２）を行なう。この第１製版データ生成処理では、レース結果入力処理（Ｓ１）で入力された前回のレース結果データの入力により上記第１製版データを生成する。
【００５８】
ついで、上記当日データ処理メニュー画像（図７）において「前夜版入力」選択領域５６が選択されると、ＣＰＵ９は、前夜版入力処理を行なう（Ｓ３）。この前夜版入力処理では、図１０に示す前夜版入力画像を表示し、使用者に対してレース当日の出走予定データを入力させる。
【００５９】
図１０に示す前夜版入力画像には、レース毎に区分された出走予定入力領域７５が表示されている。各レースの出走予定入力領域７５は、「レース番号」、「連番」、「登番」、「選手名」等のデータが表示される。そのうち、「レース番号」と「連番」には、予めデータが入力されており、その「レース番号」と「連番」に対応する登録番号入力領域７７に登録番号を入力させるようになっている。ここで、登録番号入力領域７７に登録番号が入力されると、上記データベースからその入力された登録番号に対応する「選手名」が抽出されて表示されるようになっている。
【００６０】
例えば、図示のように、レース番号「１」、連番「１」に対応する登録番号入力領域７７に登録番号「３５６４」を入力すると、それに対応する選手名「桑原啓」が自動的に入力されるようになっている。すなわち、登録番号「３５６４」の入力により上記データベースからその登録番号「３５６４」に対応する選手データ（選手名「桑原啓」に関するデータ）が抽出される。
【００６１】
図５に示すように、前夜版入力処理（Ｓ３）が終了すると、ＣＰＵ９は、第２製版データ生成処理（Ｓ４）を行なう。この第２製版データ生成処理では、レース当日の出走予定データの入力により上記データベースからレース当日に出走する選手の選手データを読み出し、当該読み出した選手データと上記第１製版データから抽出した所定のレース結果データとを対応させて上記第２製版データを生成する。
【００６２】
ついで、ＣＰＵ９は、「データ出力」選択領域５８が選択されることによりデータ出力処理（Ｓ５）を行なう。このデータ出力処理では、上述のように、上記第１製版データまたは／および上記第２製版データを印刷装置３に出力する。印刷装置３は、この出力された第１製版データまたは／および第２製版データを競技情報として印刷する。
【００６３】
すなわち、製版データ生成方法は、前回に出走した競技選手のレース結果を示す第１製版データとレース当日の競技選手の出走表を示す第２製版データを生成する製版データ生成装置１に用いる製版データ生成方法である。そして、各競技選手に関する選手データを含むデータベースを管理し、前回のレース結果データの入力により上記第１製版データを生成し、レース当日の出走予定データの入力により上記データベースからレース当日に出走する選手の選手データを読み出し、当該読み出した選手データと上記第１製版データから抽出した所定のレース結果データとを対応させて上記第２製版データを生成し、上記第１製版データまたは／および上記第２製版データを出力するようになっている。
【００６４】
したがって、上記第１製版データが生成された後、レース当日の出走予定データが入力されるだけで上記第２製版データを生成することができるため、第２製版データの生成作業に要する作業時間の短縮、第２製版データの生成作業の労力を軽減することができる。前回のレース（第１日目）が前日に行なわれ、その次の日に第２日目のレースが行なわれる場合であっても、第１製版データと第２製版データを容易に短時間で出力することができるため、レース当日の出走表と前回のレース結果を迅速に提供することができる。
【００６５】
また、上記第２製版データは、上記データベースから読み出した選手データと上記第１製版データから抽出した所定のレース結果データとを対応させて生成され、上記出力手段により出力される。例えば、レース当日の出走予定データ（例えば、出走順）が前回の出走予定データと異なったものである場合においても、レース当日に出走する競技選手の選手データとその競技選手のレース結果とを対応させて出力することができる。これにより、上記第２製版データが、例えば競艇情報として印刷された場合には、レース当日に出走する競技選手の選手データに対応して、その競技選手の前回のレース結果が記載されるため、レース当日に出走する競技選手の技量等を把握し易くなる。すなわち、レース当日のレース結果を予想する読者に対して、レース当日に出走する選手の過去のレース結果を素早く、かつ容易に確認させることができ、有効的な情報として提供することができる。
【００６６】
図１１に示すように、上記第２製版データが競技情報として印刷されると、上記第１製版データから抽出した所定のレース結果データを含む出走表等が印刷される。
【００６７】
より詳しく説明すると、レース番号「３」、連番「３」の選手名「伊達喬」に対応する初日（第１日目）の成績欄には、「“２”，“２”，“１４”」と表示されている。すなわち、第１日目のレース結果は、着順「２」、コース「２」、タイミング「１４」であること示す。この着順は、図８に示す着順入力画像において入力されたデータである。また、コース「２」とタイミング「１４」は、図９に示す成績入力画像において入力されたデータである。これは、上記第１製版データが各選手データに対応して記憶されるため、上記第１製版データから抽出した所定のレース結果データ（着順、コース、タイミング）が出走表に反映されるようになっている。
【００６８】
また、第３日目の出走表においては、第１日目と第２日目のレース結果データが反映され、第４日目の出走表においては、第１日目〜第３日目のレース結果データが反映され、第５日目の出走表においては、第１日目〜第４日目のレース結果データが反映されるようになっている。
【００６９】
すなわち、上記所定のレース結果データは、上記データベースから読み出した選手データの前回以前のレース結果データを含むため、読者は、レース当日に出走する競技選手の技量等をより一層把握し易くなり、当日のレース結果を予想し易くなる。
【００７０】
図示右上の「今開催モーター最高タイム」欄には、前回の最高タイムより速いタイムが入力されると更新されて印刷されるようになっている。
【００７１】
すなわち、上記第２製版データ生成手段２５は、上記データベースを読み出して上記所定のレース結果が特定のレース結果であるか否かを判別し、当該判別結果が特定のレース結果である場合には、上記データベースから読み出した選手データと上記特定のレース結果とを対応させて上記第２製版データを生成するようになっている。
【００７２】
このようにすることにより、上記第２製版データにおいて上記所定のレース結果を上記特定のレース結果に更新することができるため、読者により最新の情報を提供することができる。
【００７３】
なお、上記所定のレース結果は、モータタイムに限られず、スタートからゴールまでの競技選手のレースタイムであってもよい。
【図面の簡単な説明】
【００７４】
【図１】本発明の製版データ生成装置の一実施の形態を示す図である。
【図２】製版データ生成装置のシステム構成図である。
【図３】第１日目のレース結果を示す図である。
【図４】第２日目の出走表を示す図である。
【図５】製版データ生成装置の制御処理を示すフローチャートである。
【図６】出走表入力メニュー画像を示す図である。
【図７】当日データ処理メニュー画像を示す図である。
【図８】着順入力画像を示す図である。
【図９】成績入力画像を示す図である。
【図１０】前夜版入力画像を示す図である。
【図１１】出走表の一部拡大図である。
【符号の説明】
【００７５】
１      製版データ生成装置
３      印刷装置
５      印刷媒体
６      入力装置
７      制御装置
８      表示装置
９      ＣＰＵ
１１    記憶装置
１２    処理水排出路
１３    メモリ
１５    データベース管理手段
１７    製版データ生成手段
１９    出力手段
２１    表示制御手段
２３    第１製版データ生成手段
２５    第２製版データ生成手段
３１    選手データ
３３    モータデータ
３５    ボートデータ
３７    製版データ
５１    「当日処理」選択領域
５３    「レース結果処理」選択領域
５５    「前日体重入力」選択領域
５６    「前夜版入力」選択領域
５７    「レース結果の成績合成」選択領域
５８    「データ出力」選択領域
６１    着順入力領域
６３    登録番号入力領域
６５    成績入力領域
６７    「タイム」入力領域
６９    「コース」入力領域
７１    「タイミング」入力領域
７５    出走予定入力領域
７７    登録番号入力領域
【図１】
2005128400.tif 000003
【図２】
2005128400.tif 000004
【図３】
2005128400.tif 000005
【図４】
2005128400.tif 000006
【図５】
2005128400.tif 000007
【図６】
2005128400.tif 000008
【図７】
2005128400.tif 000009
【図８】
2005128400.tif 000010
【図９】
2005128400.tif 000011
【図１０】
2005128400.tif 000012
【図１１】
2005128400.tif 000013